(57)【要約】  【課題】  水棲動物及び観賞用植物に害を及ぼさず、水棲動物を飼育する水槽の管理と、吸着材の取扱いとを容易にする水槽用水浄化材を提供すること。  【解決手段】  吸着材３の袋体２からの漏れ出しを防止できることにより、漏れ出した吸着材３によって濾過装置１４が詰まるなど、水棲動物飼育システムＸの故障や不具合などを防止できると共に、水槽用水浄化材１自体の取扱いも容易になる。すなわち、袋体２と、吸着材３とをひとまとめに取扱うことができるので、水槽用水浄化材１の濾過装置１４内への投入と、取出しとが容易に行えるという効果がある。  【選択図】        図１
0003115838.tif 000002
【実用新案登録請求の範囲】
【請求項１】
水槽の水に接触させて、その水を浄化する水槽用水浄化材において、
前記水槽の水に含まれるリン又は窒素を吸着する吸着材と、
その吸着材を流出不可とする大きさの孔を有し、前記吸着材を収容する袋体とを備えている水槽用水浄化材。
【請求項２】
前記吸着材は、ハイドロタルサイトを用いたリン吸着剤であることを特徴とする請求項１記載の水槽用水浄化材。
【考案の詳細な説明】
【技術分野】
【０００１】
本考案は、水槽用水浄化材に関し、特に、水棲動物及び観賞用植物に害を及ぼさず、水棲動物を飼育する水槽の管理と、吸着材の取扱いとを容易にすることができる水槽用水浄化材に関するものである。
【背景技術】
【０００２】
従来から、水槽の水を浄化するために種々の提案がなされている。例えば、特開平７−７５７８８号公報（特許文献１）には、ゲルマニウム化合物と除草剤とを水槽の水に添加することにより、藻類の発生または発育を抑制または防止する藻類発生防止方法が記載されている。
【０００３】
また、特開２００２−３６１２５９号公報（特許文献２）には、藻類の発生または発育を抑制または防止する藻類抑制システムが記載されている。この特許文献２に記載される藻類抑制システムによれば、不溶性電極を有する水処理槽が設けられており、該不溶性電極に電流が通電されると、水中に含まれる藻類の栄養分となるリンが不溶性電極に析出され、水槽中のリンが除去される。
【特許文献１】特開平７−７５７８８号公報
【特許文献２】特開２００２−３６１２５９号公報
【考案の開示】
【考案が解決しようとする課題】
【０００４】
しかしながら、特許文献１に記載される藻類発生防止方法によれば、水中に除草剤が添加されるので、それがいくら微量の除草剤であったとしても、水槽内に生息する水棲動物の健康に対し好ましくない影響を与えるという問題点があった。また、特許文献２の藻類抑制システムには不溶性電極の設置が必要であり、装置構成が複雑になると共に、煩雑な設置作業を強いられるという問題点があった。
【０００５】
本考案は、上述した問題点を解決するためになされたものであり、水棲動物及び観賞用植物に害を及ぼさず、水棲動物を飼育する水槽の管理と、吸着材の取扱いとを容易にする水槽用水浄化材を提供することを目的としている。
【課題を解決するための手段】
【０００６】
この目的を達成するために、請求項１記載の水槽用水浄化材は、水槽の水に接触させて、その水を浄化するものであり、前記水槽の水に含まれるリン又は窒素を吸着する吸着材と、その吸着材を流出不可とする大きさの孔を有し、前記吸着材を収容する袋体とを備えている。
【０００７】
請求項２記載の水槽用水浄化材は、請求項１記載の水槽用水浄化材において、前記吸着材は、ハイドロタルサイトを用いたリン吸着剤である。
【考案の効果】
【０００８】
本考案の水槽用水浄化材によれば、袋体に収容された吸着材が水槽の水に接触すると、水槽の水に含まれるリン又は窒素が吸着材に吸着されることにより、水槽の水のリン濃度又は窒素濃度を低減することができる。すなわち、水槽の水の富栄養化を抑制できるので、過剰な藻類の発生または発育を有効に抑制または防止できる。その結果として、水槽の水を交換する頻度を低減できるので、水棲動物を飼育する水槽の管理が容易になるという効果がある。また、該吸着材を用いることにより、生物に害を及ぼすような薬剤を用いる必要がないという利点がある。
【０００９】
また、袋体は、吸着材を流出不可とする大きさの孔を有しているので、吸着材を小さな粒にしたとしても袋体から飛び出ることはない。よって、水槽の中に吸着材が散乱することがないので、吸着材の取扱いが容易になるという効果がある。
【００１０】
ここで、一般的に吸着材の大きさが小さいほど、同体積で比較した場合に、吸着材が水槽の水と接する表面積がより大きくなるので、吸着材を流出不可とする袋体を用いることによって、小粒の吸着材を用いることも可能となる。すなわち、本考案の水槽用水浄化材によれば、より小粒の吸着材を用いることが可能となるので、リンや窒素をより有効に吸着させることができ、その結果として、藻類の発生または発育を有効に抑制または防止できるという効果がある。
【考案を実施するための最良の形態】
【００１１】
以下、本考案の好ましい実施形態について、添付図面を参照して説明する。図１は、本考案の水槽用水浄化材１を使用する水棲動物飼育システムＸを表した図である。
【００１２】
図１に示す通り、本実施形態の水槽用水浄化材１を使用する水棲動物飼育システムＸは、次のように構成されている。内部に水１２を張ることによって水棲動物（例えば、金魚）を生息させることができる水槽１０と、水槽１０の上部に設置され、モータ（非表示）を用いて取水管１４ａから汲み上げた水１２を、濾過材（非表示）によって濾過した後、送水管１４ｂを介して水槽１０へ戻す濾過装置１４と、その濾過装置１４内における水１２の流路上に投入される水槽用水浄化材１とで構成されている。
【００１３】
次に、図２を参照して、本考案の水槽用水浄化材１について具体的に説明する。図２は、水槽用水浄化材１を示す斜視図である。図２に示す通り、水槽用水浄化材１は、網目２ａを有するポリエチレンなどの合成樹脂製の袋体２と、その袋体２内に収容されている吸着材３とで構成されている。なお、本実施形態では、吸着材３として、リン吸着機能を有するハイドロタルサイトを用いたリン吸着剤を用いる。リン吸着機能を有するハイドロタルサイトを用いたリン吸着剤の形態は特に限定されるものではないが、粉末のハイドロタルサイトを造粒装置などによって押し固めて造粒したものや、ハイドロタルサイト自体が固形状のものであってもよい。
【００１４】
よって、この吸着材３を含む水槽用水浄化材１を濾過装置１４内における水１２の流路上に投入した場合、水１２が吸着材３に接触し、水１２に含まれるリンが吸着材３に吸着される。その結果として、水槽１０中のリン濃度を低減することができる。すなわち、水槽１０内の水１２の富栄養化を抑制できるので、過剰な藻類の発生または発育を有効に抑制または防止できるのである。
【００１５】
吸着材３の粒径（大きさ）は、特に限定されるものではないが、その粒径が小さいほど、その表面積が大きくなるので、結果として、吸着材３の表面積が大きくなり、リンの吸着能力が向上するので好ましい。取扱い易さなどを考慮すると、例えば、数ｍｍ程度（例えば、０．３〜１．０ｍｍ程度）の粒径の吸着材３を用いることができる。
【００１６】
袋体２は、網目２ａの孔の大きさが、吸着材３を流出不可とする大きさに構成されている。よって、水槽用水浄化材１が濾過装置１４に投入された後も、吸着材３の袋体２からの漏れ出しを防止できる。吸着材３の袋体２からの漏れ出しを防止できることにより、漏れ出した吸着材３によって濾過装置１４が詰まるなど、水棲動物飼育システムＸの故障や不具合などを防止できると共に、水槽用水浄化材１自体の取扱いも容易になる。すなわち、袋体２と、吸着材３とをひとまとめに取扱うことができるので、水槽用水浄化材１の濾過装置１４内への投入と、取出しとが容易に行えるのである。
【００１７】
以上説明したように、本考案の水槽用水浄化材１によれば、吸着材３が、水槽１０の水１２に含まれるリンを吸着するので、水１２の富栄養化が抑制されて、過剰な藻類の発生または発育を有効に抑制または防止できる。その結果として、水槽１０の水１２を交換する頻度及び水槽１０の壁面に付着した藻類を除去する作業の頻度を低減できるので、水棲動物を飼育する上で、水槽１０の管理が容易になる。
【００１８】
また、本考案の水槽用水浄化材１は、吸着材３による水１２中に含まれるリンの吸着を利用して、藻類の発生または発育の抑制または防止を図るので、水棲動物に害を及ぼし得る薬剤（除草剤など）の添加を必要としない。すなわち、本考案の水槽用水浄化材１によれば、水棲動物に害を及ぼすことなく、藻類の発生または発育の抑制または防止を図ることができるのである。
【００１９】
以上、実施形態に基づき本考案を説明したが、本考案は上記実施形態に何ら限定されるものではなく、本考案の趣旨を逸脱しない範囲内で種々の改良変形が可能であることは容易に推察できるものである。
【００２０】
例えば、上記実施形態では、濾過装置１４内に水槽用水浄化材１を投入した場合について説明したが、水槽１０内に該水槽用水浄化材１を投入する場合にも適用することができる。かかる場合においても、水１２と吸着材３とが接触することになるので、吸着材３は水１２に含まれるリンを吸着し、水槽用水浄化材１を濾過装置１４に投入した場合と同様に、過剰な藻類の発生または発育を有効に抑制または防止できる。
【００２１】
また、上記実施形態では、袋体２の素材をポリエチレンなどの合成樹脂としたが、不水溶性であれば、例えば、麻などの天然素材であってもよい。
【００２２】
また、上記実施形態では、袋体２は網目２ａを有するものとして構成したが、袋体２が、吸着材３を流出不可とする孔（例えば、円形の孔）が穿孔されたものであってもよい。
【００２３】
更に、上記実施形態では、吸着材３として、リン吸着機能を有するハイドロタルサイトを用いたリン吸着剤を例示したが、ハイドロタルサイト以外のリン吸着機能を有する物質（例えば、活性アルミナ）を用いたリン吸着剤であってもよい。
【００２４】
また、上記実施形態では、吸着材３として、リン吸着機能を有するハイドロタルサイトを用いたリン吸着剤を例示したが、窒素吸着機能を有する物質（例えば、ゼオライト）を用いた吸着剤であっても代替可能であることは容易に推察可能である。
【図面の簡単な説明】
【００２５】
【図１】本考案の水槽用水浄化材を使用する水棲動物飼育システムの模式図である。
【図２】本考案の水槽用水浄化材を示す斜視図である。
【符号の説明】
【００２６】
１            水槽用水浄化材
２            袋体
３            吸着材
１０          水槽
【図１】
0003115838.tif 000003
【図２】
0003115838.tif 000004